(57)【要約】【課題】携帯無線機を強固にロックすることができる携帯無線機用充電器を提供すること。【解決手段】充電器３０は、携帯無線機１０が差し込み可能にＺ方向上方に向けて開口し、差し込まれた携帯無線機１０のＸ方向とＹ方向とへの移動を防止する受け台３１と、支柱３０ａの上端３０ｂに配設され、受け台３１に差し込まれている携帯無線機１０の上面１０ａに当接することで、携帯無線機１０をロックするロック機構５０とを有している。ロック機構５０は、支柱３０ａにて上面１０ａよりも上方に配設され、上面１０ａ側に向ってＹ方向に突出する支柱５１と、Ｘ方向に支柱５１を貫通し、Ｘ方向の周方向に自在に回動する回動軸５３と、回動軸５３が貫通し、回動軸５３によって周方向に回動した際に上面１０ａに当接することで携帯無線機１０を充電器３０にロックするロックレバー５５と、ロックレバー５５の回動を規制し、携帯無線機１０の抜けを防止する規制部５７とを有している。【選択図】      図１
2011072123.tif 000002
【特許請求の範囲】
【請求項１】
携帯無線機が差し込み可能に前記携帯無線機の高さ方向上方に向けて開口し、差し込まれた前記携帯無線機の幅方向と厚み方向とへの移動と抜け落ちとを防止する防止部と、
前記防止部の防止部側支柱の上端に配設され、前記防止部に差し込まれている前記携帯無線機の頭頂部に当接し、前記携帯無線機の前記高さ方向上側への移動を防止することで、前記携帯無線機をロックするロック機構と、
を具備し、
前記ロック機構は、
前記防止部側支柱にて前記頭頂部よりも上方に配設され、前記防止部側支柱から前記頭頂部側に向って前記厚み方向に沿って突出する支柱と、
前記幅方向に前記支柱を貫通し、前記幅方向の周方向に自在に回動する回動軸と、
前記回動軸が貫通し、前記回動軸によって前記周方向に回動し、回動した際に先端が前記頭頂部に当接することで前記携帯無線機の前記高さ方向上側への移動を防止し、前記携帯無線機をロックするロック本体部と、
前記ロック本体部の回動を規制し、前記携帯無線機の抜けを防止する規制部と、
を有することを特徴とする携帯無線機用充電器。
【発明の詳細な説明】
【技術分野】
【０００１】
本発明は、携帯無線機を強固にロックする携帯無線機用充電器に関する。
【背景技術】
【０００２】
一般に携帯型で無線を用いる携帯無線機は、例えば業務用に用いられ、屋外、または屋外に準ずる環境にて長時間使用される。そのため携帯無線機は、携帯無線機を長時間使用可能とするための充電可能な大容量の図示しないバッテリーを有している。携帯無線機が長時間使用される際、携帯無線機は、携帯無線機のバッテリーを携帯無線機用充電器（以下、充電器）にて予め充電する必要が生じる。
【０００３】
充電器は、例えばカップ形状を有している。充電の際に、充電器には、携帯無線機が差し込まれ充電される。  
または充電器は、携帯無線機の例えば両側面を引っ掛けて、携帯無線機を固定する引っ掛け部を有している。充電の際に、携帯無線機は引っ掛け部に引っ掛けられて充電される。
【０００４】
このように充電器は、携帯無線機を自在に取り外しでき、充電する。
【０００５】
例えば特許文献１には、充電中確実に携帯電子機器をロックすることができる安価な携帯電子機器用充電器のロック装置が開示されている。
【先行技術文献】
【特許文献】
【０００６】
【特許文献１】特開平９−４６２６２号公報
【発明の概要】
【発明が解決しようとする課題】
【０００７】
しかしながら、上述したようなカップ形状や引っ掛け部を有する充電器において、充電器や携帯無線機が衝撃や振動を受けたり、携帯無線機のアンテナや携帯無線機が例えばケーブルなどに引っ掛かると、携帯無線機が充電器から意図せずに外れてしまう虞が生じる。
【０００８】
また充電器は、狭いスペースに並んで配置され、携帯無線機が各充電器に差し込まれていることもある。このような状態で１つの携帯無線機が一方の充電器から取り外される際に、取り外す携帯無線機に配設されているケーブルが、他方の充電器に差し込まれて充電している他の携帯無線機のケーブルに絡まる虞が生じる。これにより充電中の他の携帯無線機が意図せずに充電器から外れてしまう虞が生じる。
【０００９】
このように携帯無線機が充電器から意図せずに外れると、充電が中断し、充電不良が生じてしまう。また充電器が机等に配置された状態で、上述したように充電器や携帯無線機が衝撃や振動を受け、携帯無線機が充電器から外れると、携帯無線機が机から落下し破損してしまう虞が生じる。
【００１０】
そのため本発明は、上記事情に鑑み、携帯無線機を強固にロックすることができる携帯無線機用充電器を提供することを目的とする。
【課題を解決するための手段】
【００１１】
本発明は目的を達成するために、携帯無線機が差し込み可能に前記携帯無線機の高さ方向上方に向けて開口し、差し込まれた前記携帯無線機の幅方向と厚み方向とへの移動と抜け落ちとを防止する防止部と、前記防止部の防止部側支柱の上端に配設され、前記防止部に差し込まれている前記携帯無線機の頭頂部に当接し、前記携帯無線機の前記高さ方向上側への移動を防止することで、前記携帯無線機をロックするロック機構と、を具備し、前記ロック機構は、前記防止部側支柱にて前記頭頂部よりも上方に配設され、前記防止部側支柱から前記頭頂部側に向って前記厚み方向に沿って突出する支柱と、前記幅方向に前記支柱を貫通し、前記幅方向の周方向に自在に回動する回動軸と、前記回動軸が貫通し、前記回動軸によって前記周方向に回動し、回動した際に先端が前記頭頂部に当接することで前記携帯無線機の前記高さ方向上側への移動を防止し、前記携帯無線機をロックするロック本体部と、前記ロック本体部の回動を規制し、前記携帯無線機の抜けを防止する規制部と、を有することを特徴とする携帯無線機用充電器を提供する。
【発明の効果】
【００１２】
本発明によれば、携帯無線機を強固にロックすることができる携帯無線機用充電器を提供することができる。
【図面の簡単な説明】
【００１３】
【図１】図１は、第１の実施形態において、ロック機構によって携帯無線機用充電器にロックされた携帯無線機の斜視図である。
【図２】図２は、図１に示す携帯無線機と、携帯無線機用充電器と、ロック機構との正面図である。
【図３】図３は、図２に示す３―３線におけるロック機構の拡大断面図である。
【図４】図４は、図３に示すロック機構の動作を示す図である。
【図５】図５は、ロック機構が携帯無線機用充電器からの携帯無線機の抜けを防止する状態を示す側面図である。
【図６】図６は、第２の実施形態におけるロック機構によって携帯無線機用充電器にロックされた携帯無線機の斜視図である。
【図７】図７は、図６に示すロック機構の側面図である。
【図８】図８は、図７に示すロック機構の断面図である。
【図９】図９は、図８に示すロック機構の動作を示す図である。
【図１０】図１０は、第３の実施形態におけるロック機構によって携帯無線機用充電器にロックされた携帯無線機の斜視図である。
【図１１】図１１は、図１０に示すロック機構を側面から見た際のロック機構の断面図である。
【図１２】図１２は、ロック機構の分解斜視図である。
【発明を実施するための形態】
【００１４】
以下、図１乃至図５を参照して本発明の第１の実施形態について詳細に説明する。  
なお以下の説明において、携帯無線機１０の幅方向と携帯無線機用充電器（以下、充電器３０）の幅方向とを、Ｘ方向または左右方向とする。また携帯無線機１０の厚み方向と充電器３０の厚み方向とを、Ｙ方向または前後方向とする。また携帯無線機１０の高さ方向と充電器３０の高さ方向とを、Ｚ方向または上下方向とする。  
Ｙ方向はＸ方向に直交し、Ｘ方向とＹ方向とはＺ方向に直交する。
【００１５】
携帯無線機１０は、携帯型であり、無線を用い、例えば業務用に用いられ、屋外、または屋外に準ずる環境にて長時間使用される。そのため携帯無線機１０は、図５に示すように、携帯無線機１０を長時間使用可能とするための充電可能な大容量のバッテリー１１を有している。携帯無線機１０が長時間使用される際、携帯無線機１０は、バッテリー１１を充電器３０にて予め充電する必要が生じる。そのため携帯無線機１０は、バッテリー１１の充電のために、図１と図２と図５とに示すように、充電器３０に差し込まれる。
【００１６】
このような携帯無線機１０は、例えば細長い直方体形状を有している。  
図１と図２とに示すように、携帯無線機１０は、無線によってデータを送受信する送受信部であるアンテナ１３と、無線によって受信した音声を出力する音声出力部であるスピーカ１５と、無線によって送受信されたデータや、圏内や圏外といった無線を使用する状態を表示する表示部であるモニタ１７と、携帯無線機１０を操作する操作部であるスイッチ１９と、無線によって音声を送信するために音声を入力する音声入力部であるマイク２１とを有している。
【００１７】
アンテナ１３は、携帯無線機１０の頭頂部である上面１０ａの例えば左端に配設されている。上面１０ａは、例えば平面である。スピーカ１５とモニタ１７とスイッチ１９とマイク２１とは、携帯無線機１０の正面１０ｂに配設されている。
【００１８】
また携帯無線機１０には、側面１０ｃからケーブル２３が延出されている。
【００１９】
図１と図２とに示すように、充電器３０は、上述したように、バッテリー１１の充電のために差し込まれた携帯無線機１０を保持するカップ形状を有している。より詳細には、充電器３０は、図５に示すように鈎爪形状となっている。言い換えると、充電器３０は、図５に示すようにＹＺ平面において、Γ形状の断面を有している。
【００２０】
つまり図１と図２とに示すように、充電器３０は、携帯無線機１０が差し込み可能にＺ方向上方に向けて開口し、携帯無線機１０を受ける受け台３１を有している。受け台３１は、バッテリー１１の充電のために充電器３０（受け台３１）に差し込まれた携帯無線機１０のＸ方向とＹ方向とへの移動を防止する防止部である。言い換えると、受け台３１は、携帯無線機１０を支持する支持部（保持部）である。また受け台３１は、充電器３０（受け台３１）に差し込まれた携帯無線機１０のＺ方向下側への移動も防止する防止部でもある。言い換えると受け台３１は、充電器３０（受け台３１）に差し込まれた携帯無線機１０の充電器３０からの抜け落ちも防止する。
【００２１】
なお上記において、受け台３１には、携帯無線機１０の下方が差し込まれる。その際、携帯無線機１０の上方は受け台３１から突出する。このとき携帯無線機１０の上方は、受け台３１から突出する防止部側支柱である充電器３０の支柱３０ａに対向する。この支柱３０ａは、充電器３０の背面となるものである。
【００２２】
充電器３０は、図５に示すように、充電器３０を例えば壁に固定するための固定穴３３を支柱３０ａに有している。
【００２３】
充電器３０（支柱３０ａ）の高さは、アンテナ１３を除く携帯無線機１０の高さよりも高い。
【００２４】
また充電器３０は、支柱３０ａの上端３０ｂのＸ方向における例えば中央に配設され、受け台３１に差し込まれている携帯無線機１０の頭頂部である上面１０ａの例えば中央に当接し、携帯無線機１０のＺ方向への移動を防止することで、携帯無線機１０をロックする充電器のロック機構（以下、ロック機構５０）を有している。本実施形態では、ロック機構５０は、充電器３０と一体である。
【００２５】
なおロック機構５０は、受け台３１に差し込まれている携帯無線機１０のＺ方向上側への移動を防止する。  
このようなロック機構５０は、支柱３０ａにて上面１０ａよりも上方に配設され、支柱３０ａから上面１０ａ側に向ってＹ方向に沿って突出する支柱５１と、Ｘ方向に支柱５１を貫通し、Ｘ方向の周方向に自在に回動する回動軸５３と、回動軸５３が貫通し、回動軸５３によって周方向に回動し、回動した際に先端５５ａが上面１０ａに当接することで携帯無線機１０のＺ方向上側への移動を防止し、携帯無線機１０を充電器３０にロックするロック本体部であるロックレバー５５と、ロックレバー５５の回動を規制し、充電器３０からの携帯無線機１０の抜けを防止する規制部５７とを有している。
【００２６】
本実施形態の支柱５１は、携帯無線機１０に向かって上端３０ｂのＸ方向における中央からＹ方向に突出する。本実施形態の支柱５１は、一対の突起部５１ａ，５１ｂであり、回動軸５３を介してロックレバー５５を支持する。
【００２７】
そのためロックレバー５５には、ロックレバー５５が突起部５１ａと突起部５１ｂとに挟まれた状態で回動軸５３が貫通している。そしてこの状態でロックレバー５５は、回動軸５３によってＸ方向の周方向に回動する。ロックレバー５５は、回動軸５３が貫通することによって、突起部５１ａ，５１ｂを介して上端３０ｂに配設されている。
【００２８】
図３乃至図５に示すように、このロックレバー５５が回動軸５３によってＸ方向の周方向に回動する際、ロックレバー５５は、作業者の例えば１本の指の操作によって、反時計回り、または時計回りに回動する。指の操作は、例えばロックレバー５５の上面５５ｂにて行われる。また指の操作は、主にロックレバー５５が携帯無線機１０を充電器３０にロック（支持）することを解除する際に用いられる。
【００２９】
なお反時計回りは、先端５５ａが上面１０ａから上端３０ｂに向って回動することを示す。また時計回りは、先端５５ａが上面１０ａから正面１０ｂに向って回動することを示す。
【００３０】
上面５５ｂが操作され、ロックレバー５５が反時計周りに回動する際、図４に示すように先端５５ａが上端３０ｂに当接する。また図５に示すように上面５５ｂが操作され、ロックレバー５５が時計周りに回動する際、ロックレバー５５の基端５５ｃが規制部５７に当接する。このように図３乃至図５に示すように、ロックレバー５５は、先端５５ａが上端３０ｂに当接し、基端５５ｃが規制部５７に当接する範囲の中で回動可能となる。
【００３１】
なお図４に示すようにロックレバー５５が上面１０ａよりも反時計回りに回動し、例えば先端５５ａが上端３０ｂに当接した際、携帯無線機１０は充電器３０から自在に挿脱される。つまりロックレバー５５は、指による上面５５ｂの操作によって支柱３０ａに向って回動操作されることで、携帯無線機１０のロックを解除する。
【００３２】
また図５に示すように基端５５ｃが規制部５７に当接するまでと、図３に示すように先端５５ａが上面１０ａに当接するまでの範囲の中で、ロックレバー５５が回動した際、先端５５ａは上面１０ａに当接し続ける。そのため図３と図５とに示すようにロックレバー５５が上述したように上面１０ａよりも正面１０ｂ側に向って時計回りに回動した際、ロックレバー５５は、携帯無線機１０のＺ方向上側への移動を防止し、携帯無線機１０を充電器３０にロックする。
【００３３】
このように先端５５ａが上面１０ａから上端３０ｂ側（反時計周り方向）に回動した際、携帯無線機１０は充電器３０から自在に挿脱される。また先端５５ａが上面１０ａに当接し、及び先端５５ａが上面１０ａから正面１０ｂ側（時計回り方向）に回動した際、携帯無線機１０はＺ方向への移動を防止され充電器３０にロックされる。
【００３４】
なおロックレバー５５が時計回りまたは反時計回りに回動していても、先端５５ａがロックレバー５５の自重によって上面１０ａに当接するようにロックレバー５５が回動するように、図３乃至図５に示すように、ロックレバー５５の重心５５ｄは回動軸５３の鉛直方向下側に配設されている。そのためロックレバー５５は、ＹＺ平面において例えば略二等辺三角形形状の断面を有している。そして先端５５ａが上面１０ａに当接している際及び回動している際、先端５５ａはロックレバー５５の最下点となる。
【００３５】
また規制部５７は、支柱３０ａからＹ方向において携帯無線機１０に向かって突出し、回動するロックレバー５５の基端５５ｃと当接することで、先端５５ａが上面１０ａに当接し続けるようにロックレバー５５の回動を規制する突起部である。
【００３６】
次に本実施形態の動作方法について説明する。  
図４に示すようにバッテリー１１を充電する際に、ロックレバー５５は作業者の例えば１本の指によって上面５５ｂを操作され反時計回りに回動する。これにより先端５５ａは例えば上端３０ｂに当接する。このとき携帯無線機１０は、充電器３０に差し込まれる。
【００３７】
そして携帯無線機１０は、受け台３１に差し込まれ、受け台３１によって支持される。これにより携帯無線機１０は、受け台３１によってＸ方向とＹ方向との移動を防止される。また携帯無線機１０は、受け台３１によって、Ｚ方向下側への移動も防止される、つまり充電器３０からの抜け落ちも防止される。
【００３８】
またロックレバー５５の重心５５ｄは回動軸５３の鉛直方向下側に配設されている。そのため作業者の例えば１本の指がロックレバー５５（上面５５ｂ）から離れると、図３に示すようにロックレバー５５は自重によって反時計回りに回動し、先端５５ａは上面１０ａに当接する。これによりロックレバー５５は、携帯無線機１０を充電器３０にロックする。
【００３９】
このように携帯無線機１０は、ロックレバー５５によって充電器３０からのＺ方向上側への移動が防止され、充電器３０にロックされる。
【００４０】
なお図５に示すように携帯無線機１０が手前（正面１０ｂ）側に傾き、この傾きによってロックレバー５５も時計回りに回動すると、基端５５ｃが規制部５７に当接する。これにより先端５５ａが上面１０ａに当接し続ける状態で、ロックレバー５５の回動が規制部５７によって規制される。これによりロックレバー５５のロックが維持され、携帯無線機１０は充電器３０からのＺ方向上側への移動が防止され、携帯無線機１０は充電器３０にロックされ続ける。
【００４１】
また充電器３０や携帯無線機１０が衝撃や振動を受けたり、アンテナ１３や携帯無線機１０が例えばケーブルなどの物体に引っ掛かったとしても、携帯無線機１０は、受け台３１によって保持されＸ方向とＹ方向との移動を防止され充電器３０からの抜け落ちも防止され、ロックレバー５５によってＺ方向上側への移動が防止され、充電器３０に常にロックされる。
【００４２】
また充電器３０が狭いスペースに並んで配置され、携帯無線機１０が各充電器３０に差し込まれていると、１つの携帯無線機１０が一方の充電器３０から抜去される際に、この携帯無線機１０に配設されているケーブル２３が、他方の充電器３０に差し込まれて充電している他の携帯無線機１０のケーブル２３に絡まる虞が生じる。これにより充電している他方の充電器３０に差し込まれて充電している他の携帯無線機１０は、充電器３０から外れてしまう虞が生じる。しかしながら上述したように、この携帯無線機１０は、受け台３１によって保持されＸ方向とＹ方向との移動を防止され充電器３０からの抜け落ちも防止され、ロックレバー５５によってＺ方向上側への移動が防止されているために、充電器３０に常にロックされる。
【００４３】
なお例えばバッテリー１１の充電が完了し、携帯無線機１０が充電器３０から抜去される際、携帯無線機１０が作業者によって保持された状態で、作業者が携帯無線機１０を保持している手の例えば１本の指によって上面５５ｂが操作されると、図３に示すようにロックレバー５５は反時計回りに回動する。言い換えると、そしてロックレバー５５は、支柱３０ａに向って回動操作される。これにより先端５５ａは、上端３０ｂの支柱３０ａに当接する。そしてロックレバー５５は、携帯無線機１０のロックを解除する。
【００４４】
これにより携帯無線機１０は、充電器３０から抜去される。
【００４５】
このように本実施形態では、充電器３０や携帯無線機１０が衝撃や振動を受けたり、アンテナ１３や携帯無線機１０が例えば図示しないケーブルなどの物体に引っ掛かったとしても、受け台３１とロック機構５０とによって、携帯無線機１０を充電器３０に強固にロックすることができる。これにより本実施形態では、充電器３０からの携帯無線機１０の意図しない抜けを防止でき、携帯無線機１０が机等から落下し破損してしまうことを防止することができる。
【００４６】
また本実施形態では、充電器３０から抜去される携帯無線機１０に配設されているケーブル２３が、充電している他の携帯無線機１０のケーブル２３に絡まったとしても、ロック機構５０によって、他の携帯無線機１０を充電器３０に強固にロックすることができ、他の携帯無線機１０の意図しない抜けを防止でき、充電の中断と充電不良とを防止できる。
【００４７】
また本実施形態では、ロックレバー５５の重心５５ｄを回動軸５３の鉛直方向下側に配設させているために、携帯無線機１０を充電器３０に差し込んだ際に、指をロックレバー５５（上面５５ｂ）から離すことで、ロックレバー５５の自重によって、先端５５ａが上面１０ａに当接するようにロックレバー５５を回動させることができる。このように本実施形態では、携帯無線機１０を充電器３０に差し込んだ後に、指をロックレバー５５（上面５５ｂ）から離すことで、ロックレバー５５の自重によって容易に携帯無線機１０を充電器３０にロックすることができる。
【００４８】
また本実施形態では、上面５５ｂを操作することで、指１本でも容易に携帯無線機１０を充電器３０にロックすることができる。
【００４９】
また本実施形態では、携帯無線機１０を保持しながらでも、携帯無線機１０を保持している手の例えば１本の指によって上面５５ｂを操作することで、容易にロックレバー５５によるロックを解除できる。これにより本実施形態では、携帯無線機１０を保持している手の例えば１本の指によってロックレバー５５によるロックを解除でき、素早く且つ容易に携帯無線機１０を充電器３０から抜去できる。
【００５０】
また本実施形態では、充電器３０や携帯無線機１０が衝撃や振動を受け、ロックレバー５５が時計回りに回動しても、基端５５ｃを規制部５７に当接させ、先端５５ａが上面１０ａに当接し続けるように、規制部５７によってロックレバー５５の回動を規制することができる。これにより本実施形態では、充電器３０や携帯無線機１０が衝撃や振動を受け、ロックレバー５５が時計回りに回動しても、充電器３０からの携帯無線機１０の抜けを防止することができる。言い換えると本実施形態では、充電器３０からのＺ方向上側への携帯無線機１０の移動を防止でき、携帯無線機１０を充電器３０にロックし続けることができる。
【００５１】
なお本実施形態では、携帯無線機１０を受け台３１に差し込む際、作業者の例えば１本の指によって上面５５ｂを操作して、ロックレバー５５を反時計回りに回動させているがこれに限定する必要はない。本実施形態では、例えば携帯無線機１０を受け台３１に差し込む際、携帯無線機１０の底面でロックレバー５５を回動させて、ロックレバー５５を反時計回りに回動させると同時に携帯無線機１０を受け台３１に差し込んでもよい。
【００５２】
なお本実施形態では、ロックレバー５５の断面を略三角形形状としたが、ロックレバー５５の重心５５ｄを回動軸５３の鉛直方向下側に配設することができ、指をロックレバー５５（上面５５ｂ）から離すことで、先端５５ａを上面１０ａに当接させ、携帯無線機１０を充電器３０に容易にロックすることができれば、ロックレバー５５の形状は特に限定する必要はない。
【００５３】
また本実施形態では、ロック機構５０を上端３０ｂのＸ方向における例えば中央に配設し、上面１０ａの例えば中央にてロックさせているが、これに限定する必要はない。本実施形態では、ロック機構５０によって携帯無線機１０を充電器３０にロックできれば、ロック機構５０の配設位置は上端３０ｂであればどこでもよく、またロック機構５０のロック位置は上面１０ａであればどこでも良い。
【００５４】
また本実施形態では、先端５５ａに例えばゴムやエラストマーなどの滑り防止部材を配設することで、上面１０ａに対する先端５５ａの滑りを防止でき、携帯無線機１０を充電器３０により強固にロックすることができる。
【００５５】
また本実施形態では、突起部５１ａと突起部５１ｂとによってロックレバー５５を挟みこんでいるがこれに限定する必要はなく、先端５５ａが上面１０ａに当接し、ロックレバー５５によって携帯無線機１０を充電器３０にロックできれば、ロックレバー５５が支柱５１を挟み込んでいてもよい。
【００５６】
なお本実施形態では、支柱３０ａは携帯無線機１０の背面に対向させているが、ロック機構５０が携帯無線機１０を充電器３０にロックすることができれば、支柱３０ａは側面１０ｃに対向してもよい。
【００５７】
次に本発明に係わる第２の実施の形態について図６乃至図９を参照して説明する。第１の実施形態と同一の構成については第１の実施形態と同一の参照符号を付すことにより説明を省略する。
【００５８】
図８と図９とに示すように本実施形態のロック機構５０は、ロックレバー５５に配設され、先端５５ａが上面１０ａに向って当接（回動）するようにロックレバー５５を弾性力によって回動させるコイルバネなどの弾性体６１と、支柱５１に配設され、弾性体６１を保持する保持部６３とを有している。
【００５９】
弾性体６１は、回動軸５３の軸周りに沿って配設され、回動軸５３を覆うように回動軸５３を巻いている。弾性体６１は、ロックレバー５５の内部に配設され、ロックレバー５５によって保護されている。
【００６０】
これにより本実施形態では、ロックレバー５５の形状や自重に影響されることなく、先端５５ａが上面１０ａに当接するように弾性体６１によってロックレバー５５を回動させることができる。よって本実施形態では、ロックレバー５５の自重に影響されることなく、弾性体６１によって先端５５ａが上面１０ａに当接するようにロックレバー５５を回動させることができるために、ロックレバー５５の形状を様々な形状にすることができる。
【００６１】
また本実施形態では、携帯無線機１０を充電器３０に差し込んだ後に、指をロックレバー５５から離すことで、弾性体６１によってロックレバー５５をより容易に回動させることができるために、より容易に携帯無線機１０を充電器３０にロックすることができる。
【００６２】
また本実施形態では、弾性体６１によって、先端５５ａが上面１０ａに当接するようにロックレバー５５を回動させることができるために、重力方向に影響されることなく、携帯無線機１０を保持する充電器３０を、固定穴３３を介して例えば天井や床や机等の様々な場所に設置することができる。
【００６３】
また本実施形態では、充電器３０や携帯無線機１０が衝撃や振動を受けたり、アンテナ１３や携帯無線機１０が図示しない例えばケーブルなどの物体に引っ掛かったとしても、弾性体６１の弾性力によってより強固に携帯無線機１０を充電器３０にロックすることができる。
【００６４】
また本実施形態では、充電器３０から抜去される携帯無線機１０に配設されているケーブル２３が、他の携帯無線機１０のケーブル２３に絡まったとしても、弾性体６１によって、携帯無線機１０を充電器３０に強固にロックすることができ、他の携帯無線機１０の意図しない抜けを防止でき、充電の中断と充電不良とを防止できる。
【００６５】
また本実施形態では、ロックレバー５５が支柱５１を挟み込んでいるために、先端５５ａの接地面積を大きくでき、より強固に携帯無線機１０を充電器３０にロックすることができる。
【００６６】
また本実施形態では、弾性体６１をロックレバー５５の内部に配設しているために、ロックレバー５５によって弾性体６１を外部からの衝撃から保護することができる。
【００６７】
なお弾性体６１は、スポンジや板ばねであってもよい。
【００６８】
次に本発明に係わる第３の実施の形態について図１０乃至図１２を参照して説明する。第１，２の実施形態と同一の構成については第１，２の実施形態と同一の参照符号を付すことにより説明を省略する。
【００６９】
本実施形態のロック機構５０は、ロック機構５０の高さ位置を調整する高さ調整機構７０を有している。ロック機構５０は、例えば充電器３０とは別体である。
【００７０】
高さ調整機構７０は、ロックレバー５５を支持する支柱５１に形成される支柱側スライド部７１と、支柱５１がＺ方向にスライド可能となるように支柱側スライド部７１がスライドし、支柱３０ａにてＺ方向に沿って形成されるスライド溝７３と、スライド溝７３にてＺ方向に沿って形成されている凸凹の固定溝７５と、携帯無線機１０が充電器３０に差し込まれ、ロックレバー５５が携帯無線機１０を充電器３０にロックした際に、固定溝７５に噛み合うことで、支柱５１がＺ方向に移動すること防止し、支柱５１に配設される防止部材７７と、支柱５１に配設される開口部７９と、支柱３０ａと開口部７９とに嵌合し、ロック機構５０の高さ位置を固定する例えばネジ等の固定部材８１とを有している。
【００７１】
図１２に示すように支柱３０ａに対向する支柱５１の背面５１ｃには、溝５１ｄがＺ方向に沿って形成されている。
【００７２】
スライド溝７３と固定溝７５とは、Ｚ方向に沿って上端３０ｂから充電器３０の下端にまで配設されている。
【００７３】
防止部材７７は、図示しないネジなどによって溝５１ｄに固定されるために、ネジが貫通する開口部７７ａを有している。また防止部材７７は背面５１ｃ側に向って突出するように折れ曲がっており、折れ曲がっている先端７７ｂが固定溝７５に噛み合うことで、防止部材７７は支柱５１のＺ方向への移動を防止する。また防止部材７７の上端７７ｃは、支柱５１の上面５１ｅから突出している。この上端７７ｃは、先端７７ｂが固定溝７５から離れ、支柱側スライド部７１がスライド溝７３をＺ方向にスライドできるように、Ｙ方向において支柱５１側（手前）側に傾ける（引く）ことが可能である。
【００７４】
次に本実施形態の動作方法について説明する。  
固定部材８１は、開口部７９から抜去される。そして上端７７ｃが支柱５１側に傾けられ、先端７７ｂが固定溝７５から離れる。これにより支柱側スライド部７１がスライド溝７３をＺ方向上側にスライドし、ロック機構５０は高さ調整機構７０によって携帯無線機１０の高さ位置よりも上方に移動する。
【００７５】
次に上端７７ｃが支柱３０ａ側に傾けられ、先端７７ｂが固定溝７５に噛み合い、ロック機構５０は高さ調整機構７０によって高さ位置を一時的に固定される。
【００７６】
携帯無線機１０は、第１の実施形態と同様に、受け台３１に差し込まれ、受け台３１によって支持される。これにより携帯無線機１０は、受け台３１によってＸ方向とＹ方向との移動を防止され充電器３０からの抜け落ちも防止される。
【００７７】
上端７７ｃが支柱５１側に傾けられ、先端７７ｂが固定溝７５から離れる。これにより支柱側スライド部７１がスライド溝７３をＺ方向にスライド可能となり、先端５５ａが上面１０ａに当接するように、ロック機構５０は高さ調整機構７０によって高さ位置を調整される。
【００７８】
より詳細には、上端７７ｃが支柱３０ａ側に傾けられ、先端７７ｂが固定溝７５に噛み合い、ロック機構５０は高さ調整機構７０によって高さ位置を調整される。さらに固定部材８１が開口部７９を挿通し支柱３０ａと嵌合する。これにより図１０と図１１とに示すようにロック機構５０は高さ位置を固定される。
【００７９】
第１の実施形態と同様に、先端５５ａが上面１０ａに当接し、ロックレバー５５は、携帯無線機１０を充電器３０にロックする。  
このように携帯無線機１０は、ロックレバー５５によって充電器３０からのＺ方向上側への移動を防止される。
【００８０】
なお例えばバッテリー１１の充電が完了し、携帯無線機１０が充電器３０から抜去される際、第１の実施形態と同様に、携帯無線機１０が作業者によって保持された状態で、ロックレバー５５作業者が携帯無線機１０を保持している手の例えば１本の指によって上面５５ｂを操作され反時計回りに回動する。これにより先端５５ａは上端３０ｂに当接する。
【００８１】
そして携帯無線機１０は、充電器３０から抜去される。
【００８２】
このように本実施形態では、高さ調整機構７０によって、ロック機構５０の高さ位置を調整できるために、高さの異なる携帯無線機１０を、それぞれの高さに合わせて充電器３０にロックすることができる。
【００８３】
また本実施形態では、高さ調整機構７０によって、ロック機構５０の高さ位置を調整できるために、携帯無線機１０の高さに合わせて充電器３０を製造する必要がなく、また高さの異なる携帯無線機１０であっても充電器３０を共通化することができる。
【００８４】
また本実施形態では、固定部材８１によってロック機構５０の高さ位置を一度調整することで、携帯無線機１０を再び充電器３０に差し込む際に、ロック機構５０の高さ位置の調整をせずにすむ。このように本実施形態では、固定部材８１によってロック機構５０の高さ位置を一度調整することで、携帯無線機１０を充電器３０に充電するたびに、ロック機構５０の高さ位置の調整の手間を省くことができる。
【００８５】
なお本実施形態は、第１，２の実施形態に組み込むことができる。
【００８６】
（付記１）
携帯無線機が差し込み可能に前記携帯無線機の高さ方向上方に向けて開口し、差し込まれた前記携帯無線機の幅方向と厚み方向とへの移動と抜け落ちとを防止する防止部と、
前記防止部の防止部側支柱の上端に配設され、前記防止部に差し込まれている前記携帯無線機の頭頂部に当接し、前記携帯無線機の前記高さ方向上側への移動を防止することで、前記携帯無線機をロックするロック機構と、
を具備し、
前記ロック機構は、
前記防止部側支柱にて前記頭頂部よりも上方に配設され、前記防止部側支柱から前記頭頂部側に向って前記厚み方向に沿って突出する支柱と、
前記幅方向に前記支柱を貫通し、前記幅方向の周方向に自在に回動する回動軸と、
前記回動軸が貫通し、前記回動軸によって前記周方向に回動し、回動した際に先端が前記頭頂部に当接することで前記携帯無線機の前記高さ方向上側への移動を防止し、前記携帯無線機をロックするロック本体部と、
前記ロック本体部の回動を規制し、前記携帯無線機の抜けを防止する規制部と、
を有することを特徴とする携帯無線機用充電器。
【００８７】
（付記２）  
前記ロック本体部の重心は、前記回動軸の鉛直方向下側に配設されていることを特徴とする付記１に記載の携帯無線機用充電器。
【００８８】
（付記３）  
前記ロック本体部は、略二等辺三角形形状の断面を有していることを特徴とする付記２に記載の携帯無線機用充電器。
【００８９】
（付記４）  
前記ロック機構は、
前記ロック本体部に配設され、前記先端が前記頭頂部に当接するように前記ロック本体部を弾性力によって回動させる弾性体と、
前記支柱に配設され、前記弾性体を保持する保持部と、
を有していることを特徴とする付記１に記載の携帯無線機用充電器。
【００９０】
（付記５）  
前記ロック機構は、前記ロック機構の高さ位置を調整する高さ調整機構を有していることを特徴とする付記３または付記４に記載の携帯無線機用充電器。
【００９１】
（付記６）  
前記高さ調整機構は、
前記支柱に形成される支柱側スライド部と、
前記支柱が前記防止部側支柱に対して前記高さ方向にスライド可能となるように前記支柱側スライド部がスライドし、前記防止部側支柱に形成されるスライド溝と、
前記スライド溝に形成されている溝と、
前記携帯無線機が前記防止部に差し込まれ、前記ロック本体部が前記携帯無線機をロックした際に、前記溝に噛み合うことで、前記支柱が前記高さ方向に移動すること防止し、前記支柱に配設される防止部材と、
前記支柱に配設される開口部と、
前記防止部側支柱と前記開口部とに嵌合し、前記ロック機構の高さ位置を固定する固定部材と、
を有していることを特徴とする付記５に記載の携帯無線機用充電器。
【００９２】
（付記７）  
前記規制部は、前記防止部側支柱から前記厚み方向において前記携帯無線機に向かって突出し、回動する前記ロック本体部の基端と当接することで、前記ロック本体部の回動を規制する突起部であることを特徴とする付記３，４，６のいずれかに記載の携帯無線機用充電器。
【００９３】
（付記８）  
前記ロック本体部は、前記防止部側支柱に向って回動操作されることで、前記携帯無線機のロックを解除することを特徴とする付記３，４，６のいずれかに記載の携帯無線機用充電器。
【００９４】
本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【符号の説明】
【００９５】
１０…携帯無線機、１０ａ…上面、１０ｂ…正面、１０ｃ…側面、２３…ケーブル、３０…充電器、３０ａ…支柱、３０ｂ…上端、３１…受け台、５０…ロック機構、５１…支柱、５１ａ，５１ｂ…突起部、５１ｃ…背面、５１ｄ…溝、５１ｅ…上面、５３…回動軸、５５…ロックレバー、５５ａ…先端、５５ｂ…上面、５５ｃ…基端、５５ｄ…重心、５７…規制部、６１…弾性体、６３…保持部、７０…調整機構、７１…支柱側スライド部、７３…スライド溝、７５…固定溝、７７…防止部材、７７ａ…開口部、７７ｂ…先端、７７ｃ…上端、７９…開口部、８１…固定部材。
【図１】
2011072123.tif 000003
【図２】
2011072123.tif 000004
【図３】
2011072123.tif 000005
【図４】
2011072123.tif 000006
【図５】
2011072123.tif 000007
【図６】
2011072123.tif 000008
【図７】
2011072123.tif 000009
【図８】
2011072123.tif 000010
【図９】
2011072123.tif 000011
【図１０】
2011072123.tif 000012
【図１１】
2011072123.tif 000013
【図１２】
2011072123.tif 000014